(57)【要約】【課題】  画像管理システムであって、ユーザが画像データの属性情報を情報入力装置に入力する場合に、好適な属性情報を入力することを可能とする技術を提供すること。【解決手段】  それぞれ登録済みである、所定の属性を表わす属性情報と、所定の画像データと、該画像データに関する画像データ関連情報とをそれぞれ対応づけて管理する管理装置と接続される画像読取装置であって、所定のスキャン対象物を読み取って、画像データを作成し、作成した画像データに対応する属性情報を所定のユーザの指示により設定し、作成した画像データと設定した属性情報とを、登録済み画像データ及び登録済み属性情報として登録すべく管理装置に送信し、属性情報を設定する際に、ユーザの指示する登録済み属性情報に基づいて、登録済み属性情報と対応づけられた画像データ関連情報を、管理装置から取得し、取得した画像データ関連情報を表示する。【選択図】        図１０
2006277473.tif 000002
【特許請求の範囲】
【請求項１】
それぞれ登録済みである、所定の属性を表わす属性情報と、所定の画像データと、該画像データに関する画像データ関連情報とをそれぞれ対応づけて管理する管理装置と接続される画像読取装置であって、
所定のスキャン対象物を読み取って、画像データを作成する画像データ作成部と、
作成した前記画像データに対応する前記属性情報を所定のユーザの指示により設定する属性情報設定部と、
作成した前記画像データと設定した前記属性情報とを、前記登録済み画像データ及び前記登録済み属性情報として登録すべく、前記管理装置に送信する送信部と、
前記属性情報を設定する際に、前記ユーザの指示する前記登録済み属性情報に基づいて、前記登録済み属性情報と対応づけられた前記画像データ関連情報を、前記管理装置から取得する関連情報取得部と、
取得した前記画像データ関連情報を表示する画像表示部と、
を備えたことを特徴とする画像読取装置。
【請求項２】
請求項１に記載の画像読取装置において、
前記管理装置は、
前記画像データ関連情報として、前記画像データのサムネイルを表わすサムネイルデータ、または、前記画像データが示す画像を代表する代表画像を表わす代表画像データを管理しており、
前記関連情報取得部は、
前記管理装置から、前記画像データ関連情報として、前記サムネイルデータ、または、前記代表画像データを取得し、
前記画像表示部は、
前記画像データ関連情報として取得した前記他の属性情報、または、前記サムネイルデータが表わす前記サムネイル、または、前記代表画像データが表わす前記代表画像を表示することを特徴とする画像読取装置。
【請求項３】
画像管理システムであって、
それぞれ登録済みである、所定の属性を表わす属性情報と、所定の画像データと、該画像データに関する画像データ関連情報とをそれぞれ対応づけて管理する管理装置と、
画像読取装置と、
を備え、
前記画像読取装置は、さらに、
所定のスキャン対象物を読み取って、画像データを作成する画像データ作成部と、
作成した前記画像データに対応する前記属性情報を所定のユーザの指示により設定する属性情報設定部と、
作成した前記画像データと設定した前記属性情報とを、前記登録済み画像データ及び前記登録済み属性情報として登録すべく、前記管理装置に送信する送信部と、
前記属性情報を設定する際に、前記ユーザの指示する前記登録済み属性情報に基づいて、前記登録済み属性情報と対応づけられた前記画像データ関連情報を、前記管理装置から取得する関連情報取得部と、
取得した前記画像データ関連情報を表示する画像表示部と、
を備え、
前記画像管理装置は、
前記画像読取装置から送信されてくる前記画像データ及び前記属性情報を、前記登録済み画像データ及び前記登録済み属性情報としてそれぞれ対応づけて管理することを特徴とする画像管理システム。
【請求項４】
それぞれ登録済みである、所定の属性を表わす属性情報と、所定の画像データと、該画像データに関する画像データ関連情報とをそれぞれ対応づけて管理する管理装置と接続される画像読取装置の制御方法であって、
所定のスキャン対象物を読み取って、画像データを作成する画像データ作成部と、
作成した前記画像データに対応する前記属性情報を所定のユーザの指示により設定する工程と、
作成した前記画像データと設定した前記属性情報とを、前記登録済み画像データ及び前記登録済み属性情報として登録すべく、前記管理装置に送信する工程と、
前記属性情報を設定する際に、前記ユーザの指示する前記登録済み属性情報に基づいて、前記登録済み属性情報と対応づけられた前記画像データ関連情報を、前記管理装置から取得する工程と、
取得した前記画像データ関連情報を表示する工程と、
を備えたことを特徴とする画像読取装置の制御方法。
【請求項５】
それぞれ登録済みである、所定の属性を表わす属性情報と、所定の画像データと、該画像データに関する画像データ関連情報とをそれぞれ対応づけて管理する管理装置と接続される画像読取装置のコンピュータプログラムであって、
所定のスキャン対象物を読み取って、画像データを作成する画像データ作成部と、
作成した前記画像データに対応する前記属性情報を所定のユーザの指示により設定する機能と、
作成した前記画像データと設定した前記属性情報とを、前記登録済み画像データ及び前記登録済み属性情報として登録すべく、前記管理装置に送信する機能と、
前記属性情報を設定する際に、前記ユーザの指示する前記登録済み属性情報に基づいて、前記登録済み属性情報と対応づけられた前記画像データ関連情報を、前記管理装置から取得する機能と、
取得した前記画像データ関連情報を表示する機能と、
を前記画像読取装置に実現させるためのコンピュータプログラム。
【請求項６】
請求項５に記載のコンピュータプログラムをコンピュータ読取り可能に記録した記録媒体。
【発明の詳細な説明】
【技術分野】
【０００１】
本発明は、スキャナにおいて、それぞれ登録済みである、所定の属性を表わす属性情報と、所定の画像データと、その画像データに関する関連情報(サムネイル等)とそれぞれ対応づけて管理する管理装置から、所定のユーザの指示する登録済みの属性情報に対応づけられた関連情報を取得し、表示する技術に関する。
【背景技術】
【０００２】
近年、e-文書法が施行されることなどにより、所定のユーザは、例えば、スキャナやデジタル複合機等スキャン機能を備えた装置（以下、スキャン装置とも呼ぶ。）を用いて、スキャン対象となる所定の情報を表わした印刷物等（以下、スキャン対象物とも呼ぶ。）を読み取って、画像データを作成し、それを保管する。スキャン対象物としては、例えば、領収証などの証書や、新聞の切り抜きや、会議録などがある。
【０００３】
ところで、下記特許文献１には、上述のようにスキャン装置で作成した画像データと、その画像データの所定の属性を表わす属性情報とを対応づけて管理する技術が公開されている。すなわち、この特許文献１に記載の技術では、スキャン装置は、所定の情報入力装置を備え、ユーザは、情報入力装置を操作して属性情報を入力することができるようになっている。そして、スキャン装置は、ユーザにより入力された属性情報を取得し、それを作成した画像データと対応づけて、所定のデータベースに保管する。なお、属性情報は、データベースにおける画像データの検索などに用いられる。
【０００４】
【特許文献１】特開２００２−２９０６６１号公報
【発明の開示】
【発明が解決しようとする課題】
【０００５】
しかしながら、上述の特許文献１に記載の技術では、ユーザは、画像データに対応する属性情報を情報入力装置に入力する際には、画像データの元となるスキャン対象物を参考にして、主観によって属性情報を決定し、入力していた。この場合、属性情報は、ユーザの主観により決定されるので、ユーザによって、画像データに対して好適な属性情報が情報入力装置に入力されない場合が生じる可能性があった。その結果、画像データと対応づけて記憶される属性情報が適切でない場合が生じる可能性があった。
【０００６】
本発明は、上記課題に鑑みてなされたものであり、スキャン装置で作成した画像データと、情報入力装置を介してユーザにより入力される画像データの属性情報とを対応づけて管理する画像管理システムであって、ユーザが画像データの属性情報を情報入力装置に入力する場合に、好適な属性情報を入力することを可能とする技術を提供することを目的とする。
【課題を解決するための手段】
【０００７】
上記目的の少なくとも一部を達成するために、本発明の画像読取装置は、
それぞれ登録済みである、所定の属性を表わす属性情報と、所定の画像データと、該画像データに関する画像データ関連情報とをそれぞれ対応づけて管理する管理装置と接続される画像読取装置であって、
所定のスキャン対象物を読み取って、画像データを作成する画像データ作成部と、
作成した前記画像データに対応する前記属性情報を所定のユーザの指示により設定する属性情報設定部と、
作成した前記画像データと設定した前記属性情報とを、前記登録済み画像データ及び前記登録済み属性情報として登録すべく、前記管理装置に送信する送信部と、
前記属性情報を設定する際に、前記ユーザの指示する前記登録済み属性情報に基づいて、前記登録済み属性情報と対応づけられた前記画像データ関連情報を、前記管理装置から取得する関連情報取得部と、
取得した前記画像データ関連情報を表示する画像表示部と、
を備えたことを要旨とする。
【０００８】
上記構成の画像読取装置によれば、ユーザは、所望する登録済みの属性情報と対応づけられた画像データの関連情報を参考にして、作成する画像データに対応づける属性情報を決定することができる。従って、ユーザが画像データの属性情報を入力する場合に、好適な属性情報を入力することが可能となる。
【０００９】
上記画像読取装置において、
前記管理装置は、
前記画像データ関連情報として、前記画像データのサムネイルを表わすサムネイルデータ、または、前記画像データが示す画像を代表する代表画像を表わす代表画像データを管理しており、
前記関連情報取得部は、
前記管理装置から、前記画像データ関連情報として、前記サムネイルデータ、または、前記代表画像データを取得し、
前記画像表示部は、
前記画像データ関連情報として取得した前記他の属性情報、または、前記サムネイルデータが表わす前記サムネイル、または、前記代表画像データが表わす前記代表画像を表示するようにしてもよい。
【００１０】
このようにすれば、ユーザは、所望する属性情報と対応づけられた画像データの関連情報である、画像データのサムネイル、または、代表画像を参考にして、作成する画像データに対応づける属性情報をより容易に決定することができる。
【００１１】
上記目的の少なくとも一部を達成するために、本発明の画像管理システムは、
それぞれ登録済みである、所定の属性を表わす属性情報と、所定の画像データと、該画像データに関する画像データ関連情報とをそれぞれ対応づけて管理する管理装置と、
画像読取装置と、
を備え、
前記画像読取装置は、さらに、
所定のスキャン対象物を読み取って、画像データを作成する画像データ作成部と、
作成した前記画像データに対応する前記属性情報を所定のユーザの指示により設定する属性情報設定部と、
作成した前記画像データと設定した前記属性情報とを、前記登録済み画像データ及び前記登録済み属性情報として登録すべく、前記管理装置に送信する送信部と、
前記属性情報を設定する際に、前記ユーザの指示する前記登録済み属性情報に基づいて、前記登録済み属性情報と対応づけられた前記画像データ関連情報を、前記管理装置から取得する関連情報取得部と、
取得した前記画像データ関連情報を表示する画像表示部と、
を備え、
前記画像管理装置は、
前記画像読取装置から送信されてくる前記画像データ及び前記属性情報を、前記登録済み画像データ及び前記登録済み属性情報としてそれぞれ対応づけて管理することを要旨とする。
【００１２】
上記構成の画像管理システムによれば、ユーザは、所望する登録済みの属性情報と対応づけられた画像データの関連情報を参考にして、作成する画像データに対応づける属性情報を決定することができる。従って、ユーザが画像データの属性情報を入力する場合に、好適な属性情報を入力することが可能となる。
【００１３】
なお、本発明は、上記した画像読取装置または画像管理システムなどの装置発明の態様に限ることなく、画像読取装置や画像管理システムの制御方法などの方法発明としての態様で実現することも可能である。さらには、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００１４】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００１５】
以下、本発明の実施の形態について、実施例に基づき次の順序で説明する。
Ａ．実施例：
Ａ１．画像管理システム概要：
Ａ２．画像管理処理：
Ａ２１．属性情報設定処理：
Ａ２２．画像データ作成処理：
Ｂ．変形例：
【００１６】
Ａ．実施例：
Ａ１．画像管理システム概要：
図１は、本発明の一実施例としての画像管理システム１０００の概略構成を示す説明図である。この画像管理システム１０００は、所定の企業内に設けられ、スキャナ１００、スキャナ管理装置３００及び管理サーバＳＶとから構成される。スキャナ１００と、スキャナ管理装置３００と、管理サーバＳＶは、ローカルエリアネットワークＬＡＮによって接続されている。
【００１７】
この画像管理システム１０００のシステム概要は以下の通りである。すなわち、まず、画像管理システム１０００は、スキャナ１００に、ユーザからログイン情報（ユーザ名およびパスワード）が入力されると、スキャナ１００とスキャナ管理装置３００との間で、ユーザのログイン処理を行う。そして、画像管理システム１０００は、ログインが許可されると、スキャナ１００において、ユーザから、これから作成する画像データの格納先の指示を受け付ける。画像管理システム１０００は、その後、スキャナ１００において、ユーザから、作成する画像データの所定の属性を表わす情報（以下では、属性情報とも呼ぶ。）の入力を受け付ける。そして、画像管理システム１０００は、スキャナ１００において、スキャン対象物を読み取って画像データを作成し、作成した画像データと、入力された属性情報と、画像データに関連する種々の情報とを対応づけて、ユーザにより選択された格納先（管理サーバＳＶの後述するデータベース）に保存する。また、スキャナ管理装置３００において、スキャナ１００が作成した画像データからサムネイルを作成し、保存する。ところで、本実施例の画像管理システム１０００は、スキャナ１００において、属性情報の入力を受け付ける際に、ユーザが所望する属性情報と対応づけられた画像データのサムネイル等を、スキャナ１００の後述するタッチパネル２００に表示することが可能となっている。これらの詳細については、後述する画像管理処理において説明する。なお、スキャン対象物としては、印刷物に限られず、手書きの文章や絵柄等でも良い。本実施例では、スキャン対象物として、会議録や新聞の切り抜きを用いている。
【００１８】
図２は、本実施例におけるスキャナ１００の構成を示す概略構成図である。スキャナ１００は、上述したように、後述する画像管理処理において、ユーザのログイン情報（ユーザ名およびパスワード）や属性情報を受け付け、また、所定のスキャン対象物を読み取って、画像データを作成する装置であり、図２に示すように、主に、読取実行部１１０（読取機構）と、ＣＰＵ１３０と、メモリ１９０と、タッチパネル２００と、クロック部１９７とを備えている。
【００１９】
タッチパネル２００は、図１に示すように、スキャナ１００の正面に設置され、後述する画像管理処理において、ユーザからの指示を受け付けたり、ユーザに対して所定の情報を付与したりするユーザインタフェイス（ＵＩ）として機能する。
【００２０】
図３は、本実施例における画像情報テーブルＴＢ１を説明する説明図である。メモリ１９０は、図３に示す画像情報テーブルＴＢ１を格納する画像情報テーブル格納部１９５を備える。この画像情報テーブルＴＢ１は、スキャン対象物を読み取って作成される画像データと、ユーザにより指定される画像データの格納先と、ユーザにより入力される画像データのファイル名と、画像データを作成した際の作成日時と、画像データを作成するユーザのユーザ名と、ユーザにより入力される画像データの属性情報とがそれぞれ対応づけられて記憶されるようになっている。なお、本実施例では、ユーザにより入力される属性情報は、４つの種別に分類される。すなわち、本実施例における属性情報の種別（以下では、属性情報種別と呼ぶ。）は、画像データが表わす画像のカテゴリを示す「カテゴリ」と、画像データの取り扱いを表わす「取り扱い」と、画像データの再配布を許可するか否かを表わす「再配布」と、画像データが表わす画像に対するキーワードを示す「キーワード」とがある。
【００２１】
読取実行部１１０は、読取機構であり、後述する画像データ作成部１４０からの指示があると、スキャン対象物をスキャンして、スキャン対象物の画像データを次々に画像データ作成部１４０へ送信する。
【００２２】
ＣＰＵ１３０は、画像データ作成部１４０と、管理制御部１５０と、表示制御部１６０と、属性情報取得部１７０と、通信制御部１８０とを備える。これらの機能ブロックは、所定のＲＯＭ（図示せず）に記憶されている所定のアプリケーションプログラムを、ＣＰＵ１３０が、読み出して実行することにより、ソフトウェア的に構築される。これらの機能ブロックは、後述する画像管理処理を行う。
【００２３】
画像データ作成部１４０は、ユーザによって、スキャン対象物が読取ステージ２０（図１）に置かれ、スキャン開始ボタン３０（図１）が押されると、読取実行部１１０を制御して、スキャン対象物をスキャンさせ、画像データを作成する。画像データ作成部１４０は、作成した画像データを画像情報テーブルＴＢ１に記憶する。
【００２４】
管理制御部１５０は、ユーザのログイン情報を取得し、後述のログイン処理を担う。
表示制御部１６０は、タッチパネル２００の種々の制御を行う。
【００２５】
属性情報取得部１７０は、ユーザによって選択された属性情報を取得する。
通信制御部１８０は、図示しない入出力インタフェイスを介して、スキャナ管理装置３００と種々の通信を行う。
クロック部１９７は、時間（年月日）を出力する。
【００２６】
図４は、本実施例におけるスキャナ管理装置３００の構成を示す概略構成図である。スキャナ管理装置３００は、後述する画像管理処理において、種々の処理を行い、図４に示すように、主に、ＣＰＵ３３０と、メモリ３８０とを備える。
【００２７】
メモリ３８０は、図５に示すサムネイルテーブルＴＢ２を格納するサムネイルテーブル格納部３８５と、ログイン情報テーブル（図示せず）を格納するログイン情報テーブル格納部３９０とを備える。
【００２８】
図５は、図４におけるサムネイルテーブルＴＢ２を説明する説明図である。サムネイルテーブルＴＢ２は、後述の画像データ作成処理において、後述のサムネイル作成部３５０が画像データから作成したサムネイルと、その画像データのファイル名とが対応づけられて記憶されるようになっている。また、ログイン情報テーブルは、予め登録された複数のユーザのユーザ名とパスワードとがそれぞれ対応づけられて記憶されている。
【００２９】
ＣＰＵ３３０は、画像処理部３４０と、ログイン処理部３４５と、サムネイル作成部３５０と、通信制御部３６０とを備える。これらの機能ブロックは、所定のＲＯＭ（図示せず）に記憶されている所定のアプリケーションプログラムを、ＣＰＵ３３０が、読み出して実行することにより、ソフトウェア的に構築される。これらの機能ブロックは、後述する画像管理処理を行う。
【００３０】
画像処理部３４０は、スキャナ１００から送信されてくる画像データに対して種々の画像処理を行う。
【００３１】
ログイン処理部３４５は、スキャナ１００から送信されてくるログイン情報と、ログイン情報テーブルとを比較することにより、ログインを許可するかどうかの決定を行う。
【００３２】
サムネイル作成部３５０は、画像処理部３４０が画像処理を行った画像データから、サムネイルを作成する。
【００３３】
通信制御部３６０は、図示しない入出力インタフェイスを介して、スキャナ１００、管理サーバＳＶと種々の通信を行う。
【００３４】
図６は、本実施例における管理サーバＳＶの構成を示す概略構成図である。管理サーバＳＶは、後述する画像管理処理において、種々の処理を行い、ＣＰＵ５００と、メモリ５５０とを備える。
【００３５】
メモリ５５０は、会議録データベース５６０と、新聞切り抜きデータベース５７０とを有している。
【００３６】
図７は、本実施例のメモリ５５０における各データベースの概略構造を表わす説明図である。これら各データベースの構造は、図７に示すように、画像データと、その画像データのファイル名と、その画像データを作成した際の作成日時と、その画像データを作成したユーザのユーザ名と、ユーザにより入力された画像データに対応する各属性情報とがそれぞれ対応づけられて記憶されるようになっている。図７では、会議録データベースの各情報が記憶されている様子を表わしている。以下では、このデータベースに記憶（登録）されている各情報のうち、画像データを除いた他の各情報を登録済みデータとも呼ぶ。
【００３７】
ＣＰＵ５００は、図６に示すように、所定のＲＯＭ（図示せず）に記憶されている所定の連携ソフト５１０を、読み出して実行することにより、画面作成部５２０と、管理制御部５３０と、通信制御部５４０として機能する。この連携ソフト５１０の各機能ブロックは、スキャナ管理装置３００を介して、スキャナ１００と連携して、後述する画像管理処理を実行する。
【００３８】
画面作成部５２０は、スキャナ１００と連携して、スキャナ１００のタッチパネル２００に表示する種々の画面を作成する。
【００３９】
管理制御部５３０は、スキャナ管理装置３００から送信されてくる画像情報テーブルＴＢ１に基づいて、会議録データベース５６０または新聞切り抜きデータベース５７０を選択し、選択したデータベースに画像情報テーブルＴＢ１の各情報を保存する。
【００４０】
通信制御部５４０は、図示しない入出力インタフェイスを介して、スキャナ管理装置３００と種々の通信を行う。
【００４１】
Ａ２．画像管理処理：
図８は、本実施例の画像管理システム１０００における画像管理処理を表わすフローチャートである。この画像管理処理は、スキャナ１００と、スキャナ管理装置３００と、管理サーバＳＶで実行される処理である。この画像管理処理では、まず、ユーザのログイン処理（ステップＳ１００）を行う。
【００４２】
具体的には、まず、図８のステップＳ１００の処理において、スキャナ１００の管理制御部１５０は、タッチパネル２００を介して、ユーザにより入力されるログイン情報（ユーザ名およびパスワード）を取得する。そして、通信制御部１８０は、管理制御部１５０が取得したログイン情報をスキャナ管理装置３００に送信する。一方、スキャナ管理装置３００の通信制御部３６０は、スキャナ１００から送信されてくるログイン情報を受信する。そして、ログイン処理部３４５は、ログイン情報テーブル格納部３９０からログイン情報テーブルを読み出して、それと受信したログイン情報とを比較し、ユーザのログインを許可するかどうかの決定を行う。その後、通信制御部３６０は、スキャナ１００に、この判断結果を送信する。スキャナ１００の通信制御部１８０は、この判断結果を受信する。管理制御部１５０は、ユーザのログインが許可されなかった場合には、この画像管理処理を終了する。また、管理制御部１５０は、ユーザのログインが許可された場合には、画像情報テーブル格納部１９５から画像情報テーブルＴＢ１を読み出し、ログイン情報におけるユーザ名を画像情報テーブルＴＢ１に書き込む。
【００４３】
続いて、画像管理処理において、ログインが許可された場合には、ユーザから、これから作成する画像データの格納先（管理サーバＳＶのデータベース）の指示を受け付ける画像データ格納先受付処理（ステップＳ２００）を行う。
【００４４】
具体的には、ユーザのログインが許可されると、スキャナ１００は、管理サーバＳＶの連携ソフト５１０と連携して、以下の図９に示す格納先選択画面Ｗ１をタッチパネル２００に表示する。
【００４５】
図９は、本実施例のタッチパネル２００に表示された格納先選択画面Ｗ１を示す説明図である。すなわち、スキャナ１００の通信制御部１８０は、ユーザのログインが許可されると、スキャナ管理装置３００を介して、管理サーバＳＶに対して画像データの格納先を選択する画面データ（以下、格納先画面データとも呼ぶ。）の送信要求を行う。管理サーバＳＶにおいて、連携ソフト５１０の通信制御部５４０が送信要求を受信すると、連携ソフト５１０の画面作成部５２０は、格納先選択画面データを作成する。そして、通信制御部５４０は、作成した格納先選択画面データを、スキャナ管理装置３００を介して、スキャナ１００に送信する。スキャナ１００の通信制御部１８０は、送信されてくる格納先選択画面データを受信し、表示制御部１６０は、受信した格納先選択画面データの表わす格納先選択画面Ｗ１をタッチパネル２００に表示する。一方、ユーザは、格納先選択画面Ｗ１における格納先選択ボタンＢＴＷ１を指定することにより、スキャン対象物を読み取って作成される画像データの管理サーバＳＶにおける格納先を選択する。本実施例では、ユーザは、画像データの格納先として会議録データベースを選択したものとする。
【００４６】
そして、格納先選択画面Ｗ１において、ユーザにより格納先が選択されると、属性情報取得部１７０は、画像情報テーブルＴＢ１に、選択された格納先を表わす格納先情報を、図３に示すごとく、ファイル格納先欄に書き込む。
【００４７】
Ａ２１．属性情報設定処理：
続いて、作成する画像データの属性情報を設定する属性情報設定処理（図８：ステップＳ３００）を行う。この属性情報設定処理では、ユーザが所望する属性情報と対応づけられた画像データの登録済みデータ、または、ユーザが所望する属性情報と対応づけられた画像データのサムネイルを、スキャナ１００のタッチパネル２００に表示することが可能となっており、ユーザは、それを参照して属性情報を設定することができる。
【００４８】
図１０は、本実施例の画像管理システム１０００における属性情報設定処理を表わすフローチャートである。具体的には、まず、属性情報設定処理（図８）において、表示制御部１６０と、管理サーバＳＶの連携ソフト５１０は、連携して、以下の図１１に示すごとく、画像データの属性情報を設定するための属性情報設定画面Ｗ２をタッチパネル２００に表示する処理を行う（ステップＳ３１０）。
【００４９】
図１１は、本実施例のタッチパネル２００に表示された属性情報設定画面Ｗ２を示す説明図である。図１１に示す属性情報設定画面Ｗ２は、画面の略中央に、「カテゴリ」、「取り扱い」、「再配布」、および、「キーワード」の属性情報種別を選択するための属性情報種別ボタンＢＴＷ２と、画面の略左側に、各属性情報種別の属性情報が選択されたか否かを示す属性情報種別確認領域ＷＷ２と、画面の略右下側に、キャンセルボタンＢＴＫと、決定ボタンＢＴＤ１とを有している。また、図１１に示す属性情報種別確認領域ＷＷ２において、各属性情報種別のうち、「取り扱い」と「再配布」の属性情報種別は、それぞれ属性情報として、「極秘」と「禁止」が既に選択されていることを表わす。
【００５０】
すなわち、スキャナ１００の通信制御部１８０は、スキャナ管理装置３００を介して、管理サーバＳＶに対して属性情報設定画面データの送信要求を行う。管理サーバＳＶにおいて、連携ソフト５１０の通信制御部５４０が送信要求を受信すると、連携ソフト５１０の画面作成部５２０は、属性情報設定画面データを作成する。そして、通信制御部５４０は、作成した属性情報設定画面データを、スキャナ管理装置３００を介して、スキャナ１００に送信する。スキャナ１００の通信制御部１８０は、送信されてくる属性情報設定画面データを受信し、表示制御部１６０は、受信した属性情報設定画面データの表わす属性情報設定画面Ｗ２をタッチパネル２００に表示する。
【００５１】
続いて、表示制御部１６０は、属性情報設定画面Ｗ２において、ユーザにより、所定の属性情報種別ボタンＢＴＷ２が押されたかどうかを判断する（ステップＳ３２０）。表示制御部１６０は、属性情報種別ボタンＢＴＷ２が押されてない場合（ステップＳ３２０：ＮＯ）には、そのまま待機する。また、表示制御部１６０は、キャンセルボタンＢＴＫが押されると、タッチパネル２００に、一つ前の画面である格納先選択画面Ｗ１を表示し、図８のステップＳ２００の処理にリターンする
【００５２】
所定の属性情報種別ボタンＢＴＷ２が押された場合（ステップＳ３２０：ＹＥＳ）には、続いて、以下の図１２に示すごとく、表示制御部１６０と、管理サーバＳＶの連携ソフト５１０は、連携して、図１１において選択された属性情報種別に対応する属性情報の属性情報ボタンＢＴＺを表わす属性情報選択画面Ｗ３をタッチパネル２００に表示する処理を行う（ステップＳ３３０）。
【００５３】
図１２は、本実施例のタッチパネル２００に表示された属性情報選択画面Ｗ３を示す説明図である。この図１２に示す属性情報選択画面Ｗ３は、画面の略中央に、属性情報を選択するための複数の属性情報ボタンＢＴＺと、画面の下側において左から、決定ボタンＢＴＤ２と、登録済みボタンＢＴＴと、戻るボタンＢＴＲ１とを有する。なお、属性情報選択画面Ｗ３は、属性情報設定画面Ｗ２において、各属性情報種別ボタンＢＴＷ２のうち、ユーザにより属性情報種別が「カテゴリ」の属性情報種別ボタンＢＴＷ２が押された（選択された）場合の画面を表わしている。
【００５４】
続いて、表示制御部１６０は、属性情報選択画面Ｗ３において所定の属性情報ボタンＢＴＺが選択されて、決定ボタンＢＴＤ２が押されたかどうかを判断する（ステップＳ３４０）。
【００５５】
ここで、決定ボタンＢＴＤ２が押されず（ステップＳ３４０：ＮＯ）、所定の属性情報ボタンＢＴＺが選択されて、登録済みデータボタンＢＴＴが、押された場合（ステップＳ３５０：ＹＥＳ）には、続いて、表示制御部１６０と、管理サーバＳＶの連携ソフト５１０は、連携して、以下の図１３に示すごとく、上述のステップＳ３５０の処理で選択された属性情報ボタンＢＴＺが示す属性情報に対応する画像データの登録済みデータを表わす登録済みデータ確認画面Ｗ４をタッチパネル２００に表示する処理を行う（ステップＳ３６０）。
【００５６】
図１３は、本実施例のタッチパネル２００に表示された登録済みデータ確認画面Ｗ４を示す説明図である。この図１３に示す登録済みデータ確認画面Ｗ４は、画面略中央に、登録済みデータ表示領域ＷＷ４と、画面略下側に、詳細ボタンＢＴＳと、戻るボタンＢＴＲ２とを有する。登録済みデータ表示領域ＷＷ４は、管理サーバＳＶのデータベース（会議録データベース５６０）における、上述のステップＳ３５０の処理で選択された属性情報ボタンＢＴＺが示す属性情報に対応する画像データの登録済みデータを表示する。なお、この登録済みデータ確認画面Ｗ４は、属性情報選択画面Ｗ３において、各属性情報ボタンＢＴＺのうち、ユーザにより属性情報が「デザイン」の属性情報種別ボタンＢＴＷ２が押された（選択された）場合の画面を表わしている。
【００５７】
具体的には、属性情報選択画面Ｗ３で、所定の属性情報ボタンＢＴＺが選択されて、登録済みデータボタンＢＴＴが押されると、スキャナ１００の通信制御部１８０は、スキャナ管理装置３００を介して、管理サーバＳＶに対して、選択された属性情報ボタンＢＴＺが示す属性情報に対応する登録済みデータ確認画面データの送信要求を行う。管理サーバＳＶにおいて、連携ソフト５１０の通信制御部５４０が送信要求を受信すると、連携ソフト５１０の画面作成部５２０は、会議録データベース５６０から、要求のあった属性情報に対応する各画像データの各登録済みデータを取得し、登録済みデータ確認画面データを作成する。そして、通信制御部５４０は、作成した登録済みデータ確認画面データを、スキャナ管理装置３００を介して、スキャナ１００に送信する。スキャナ１００の通信制御部１８０は、送信されてくる登録済みデータ確認画面データを受信し、表示制御部１６０は、受信した登録済みデータ確認画面データの表わす登録済みデータ確認画面Ｗ４をタッチパネル２００に表示する。
【００５８】
表示制御部１６０は、属性情報選択画面Ｗ３において、決定ボタンＢＴＤ２および登録済みデータボタンＢＴＴのいずれのボタンも押されていない場合には、そのまま待機する（ステップＳ３５０：ＮＯ）。なお、表示制御部１６０は、属性情報選択画面Ｗ３において、戻るボタンＢＴＲ１が押されると、一つ前の画面である属性情報設定画面Ｗ２をタッチパネル２００に表示し、ステップＳ３２０の処理にリターンする。
【００５９】
登録済みデータ確認画面Ｗ４がタッチパネル２００に表示されると、続いて、表示制御部１６０は、登録済みデータ確認画面Ｗ４において、ユーザにより、所定の登録済みデータが選択され、詳細ボタンＢＴＳが押されたかどうかを判断する（ステップＳ３７０）。表示制御部１６０は、ユーザにより、詳細ボタンＢＴＳが押されない間は、そのまま待機する（ステップＳ３７０：ＮＯ）。なお、表示制御部１６０は、登録済みデータ確認画面Ｗ４において、戻るボタンＢＴＲ２が押されると、一つ前の画面である属性情報選択画面Ｗ３をタッチパネル２００に表示し、ステップＳ３４０の処理にリターンする。
【００６０】
登録済みデータ確認画面Ｗ４において、ユーザにより、所定の登録済みデータが選択され、詳細ボタンＢＴＳが押された場合（ステップＳ３７０：ＹＥＳ）には、続いて、表示制御部１６０は、以下の図１４に示す、ユーザにより選択された登録済みデータに対応する画像データのサムネイルを表わす登録済みデータ詳細確認画面Ｗ５をタッチパネル２００に表示する（ステップＳ３８０）。
【００６１】
図１４は、本実施例のタッチパネル２００に表示された登録済みデータ詳細確認画面Ｗ５を示す説明図である。この図１５に示す登録済みデータ詳細確認画面Ｗ５は、画面略上側に、登録済みデータ確認画面Ｗ４において選択された登録済みデータを表示する登録済みデータ表示領域ＷＷ５Ａと、画面略中央に、登録済みデータ確認画面Ｗ４において選択された登録済みデータに対応する画像データのサムネイルＳＮを表示するサムネイル表示領域ＷＷ５Ｂと、画面略左下に、戻るボタンＢＴＲ３とを有する。なお、この登録済みデータ詳細確認画面Ｗ５は、登録済みデータ確認画面Ｗ４において、複数の登録済みデータのうち、ファイル名が「コンセプト．ｐｄｆ」の登録済みデータが選択された場合の画面を表わしている。
【００６２】
具体的には、まず、通信制御部１８０は、ステップＳ３７０の処理でユーザにより選択された登録済みデータのファイル名を取得し、スキャナ管理装置３００に対して、取得したファイル名に対応するサムネイルの送信要求を行う。一方、スキャナ管理装置３００の通信制御部３６０は、スキャナ１００から送信要求を受信すると、サムネイルテーブル格納部３８５からサムネイルテーブル（図５）を読み出し、そのサムネイルテーブルにおいて送信要求のあったファイル名に対応するサムネイルＳＮを検索し、取得する。そして、通信制御部３６０は、取得したサムネイルＳＮをスキャナ１００に送信する。スキャナ１００の通信制御部１８０は、送信されてくるサムネイルを受信し、表示制御部１６０は、受信したサムネイルＳＮをサムネイル表示領域ＷＷ５Ｂに、上記登録済みデータを登録済みデータ表示領域ＷＷ５Ａに、それぞれ表わした登録済みデータ詳細確認画面Ｗ５を作成し、タッチパネル２００に表示する。
【００６３】
表示制御部１６０は、登録済みデータ詳細確認画面Ｗ５をタッチパネル２００に表示後、ユーザにより戻るボタンＢＴＲ３が押されると、２つ前の画面である属性情報選択画面Ｗ３をタッチパネル２００に表示し、ステップＳ３４０の処理にリターンする。
【００６４】
一方、属性情報選択画面Ｗ３において所定の属性情報ボタンＢＴＺが選択されて、決定ボタンＢＴＤ２が押された場合（ステップＳ３４０：ＹＥＳ）には、属性情報取得部１７０は、ユーザにより選択された属性情報ボタンＢＴＺが示す属性情報を取得する。さらに、属性情報取得部１７０は、画像情報テーブルＴＢ１に書き込む（ステップＳ３９０）。
【００６５】
なお、表示制御部１６０は、上述のステップＳ３２０の処理で、属性情報設定画面Ｗ２において、ユーザにより「取り扱い」、「再配布」、および「キーワード」の属性情報種別ボタンＢＴＷ２が押された場合には、ステップＳ３３０の処理で、それぞれの属性情報種別に対応する属性情報ボタンＢＴＺを有した属性情報選択画面Ｗ３をタッチパネル２００に表示する。この場合、表示制御部１６０は、例えば、ユーザにより「取り扱い」の属性情報種別ボタンＢＴＷ２が押された場合には、ステップＳ３３０の処理で、属性情報選択画面Ｗ３において、「極秘」、「社外秘」、「規定なし」などの属性情報を表わす属性情報ボタンＢＴＺを表示する。
【００６６】
続いて、属性情報取得部１７０は、全ての属性情報種別における属性情報が選択されたか否かを判断する（ステップＳ４００）。属性情報取得部１７０は、全ての属性情報種別における属性情報が選択されていない場合（ステップＳ４００：ＮＯ）には、上述のステップＳ３２０の処理にリターンし、ステップＳ３２０〜ステップＳ３９０の処理を繰り返し行う。
【００６７】
属性情報取得部１７０は、全ての属性情報種別における属性情報が選択された場合（ステップＳ４００：ＹＥＳ）には、続いて、作成する画像データのファイル名および作成日時を取得する。具体的には、まず、表示制御部１６０は、タッチパネル２００にファイル名を受け付けるファイル名入力画面（図示せず）を表示する。そして、属性情報取得部１７０は、ユーザが入力するファイル名を取得する。また、属性情報取得部１７０は、クロック部１９７にアクセスし、その際の時間（年月日）を取得する。そして、属性情報取得部１７０は、取得したファイル名および時間（年月日）を画像情報テーブルＴＢ１に書き込む（ステップＳ４１０）。
【００６８】
Ａ２２．画像データ作成処理：
続いて、スキャン対象物を読み取って画像データを作成し、それを上述でユーザにより選択された格納先に保存する画像データ作成処理（図８：ステップＳ５００）を実行する。この画像データ作成処理では、スキャナ管理装置３００において、作成した画像データからサムネイルを作成し、サムネイルテーブルＴＢ２に保存している。このサムネイルテーブルＴＢ２は、属性情報設定処理で参照される。
【００６９】
図１５は、本実施例の画像管理システム１０００における画像データ作成処理を表わすフローチャートである。具体的には、まず、画像データ作成処理において、スキャナ１００は、スキャン処理を行う（ステップＳ５１０）。
【００７０】
図１６は、本実施例のスキャン処理において、タッチパネル２００に表示されるスキャナ設定画面Ｗ６を示す説明図である。このスキャン条件設定画面Ｗ６は、作成する画像データの原稿サイズ、カラーモード、原稿タイプ、ファイル形式、解像度、濃淡などの設定情報を表わし、設定の変更を行うための画面である。また、このスキャナ設定画面Ｗ６には、画面略右上側に、上述のログイン処理（図８：ステップＳ１００）で取得したユーザ名が表示され、画面略中央上側に、上述の画像データ格納先受付処理（図８:ステップＳ２００）で取得した画像データの格納先が表示される。さらに、スキャナ設定画面Ｗ６は、画面略右下に、スキャンニングを開始するためのスキャン開始ボタン３０を有する。
【００７１】
具体的には、表示制御部１６０は、図１６に示すスキャナ設定画面Ｗ６をタッチパネル２００に表示する。ユーザは、スキャナ設定画面Ｗ６で所望の設定を行う。その後、ユーザによって、スキャン対象物が読取ステージ２０（図１）に置かれ、スキャン開始ボタン３０（図１６）が押されると、スキャナ１００の画像データ作成部１４０は、読取実行部１１０を制御して、読取実行部１１０からスキャン対象物の画像データを取得し、それらをまとめてスキャン対象物全体の画像データを作成する。画像データ作成部１４０は、作成した画像データを画像情報テーブルＴＢ１に記憶する。また、画像データ作成部１４０は、スキャン開始ボタン３０（図１６）が押されると、ユーザが設定した設定情報も同時に取得する。
【００７２】
続いて、通信制御部１８０は、画像データなどが記憶された画像情報テーブルＴＢ１と、設定情報とをスキャナ管理装置３００に送信する（ステップＳ５２０）。
【００７３】
そして、スキャナ管理装置３００の通信制御部３６０は、送信されてくる画像情報テーブルＴＢ１および設定情報を受信する（ステップＳ５３０）。
【００７４】
次に、画像処理部３４０は、受信した画像情報テーブルＴＢ１から画像データを取得し、受信した設定情報に基づいて、取得した画像データの画像処理を行う（ステップＳ５４０）。画像処理部３４０は、必要があれば、画像データに対して、裏写り／モアレ除去処理、文字強調処理、回転処理などの画像処理も行う。
【００７５】
続いて、サムネイル作成部３５０は、画像処理後の画像データからサムネイルを作成する（ステップＳ５５０）。
【００７６】
次に、サムネイル作成部３５０は、サムネイルテーブル格納部３８５からサムネイルテーブルＴＢ２（図５）を読み出し、受信した画像情報テーブルＴＢ１からファイル名を取得する。そして、サムネイル作成部３５０は、読み出したサムネイルテーブルＴＢ２に、取得したファイル名と作成したサムネイルとを対応づけて記憶する（ステップＳ５６０）。
【００７７】
一方、通信制御部３６０は、上述のステップＳ５４０の処理で画像処理後の画像データを、受信した画像情報テーブルＴＢ１の対応する欄に上書きして記憶し、その画像情報テーブルＴＢ１を管理サーバＳＶに送信する（ステップＳ５７０）。
【００７８】
管理サーバＳＶの連携ソフト５１０における通信制御部５４０は、送信されてくる画像情報テーブルＴＢ１を受信する（ステップＳ５８０）。
【００７９】
次に、連携ソフト５１０の管理制御部５３０は、まず、受信した画像情報テーブルＴＢ１のファイル格納先欄の情報に基づいて、画像データや属性情報等の格納先として、メモリ５５０のいずれかのデータベース（図７）を選択する。本実施例では、上述のステップＳ２００の画像データ格納先受付処理（図８）で、画像データや属性情報等の格納先が会議録データベース５６０に指定され、画像情報テーブルＴＢ１（図３参照）のファイル格納先が会議録データベースとなっているので、格納先を会議録データベース５６０とする。そして、管理制御部５３０は、受信した画像情報テーブルＴＢ１の各情報を、選択した会議録データベース５６０の対応する欄に、それぞれ対応づけて保存する（ステップＳ５９０）。そして、画像管理システム１０００は、この画像管理処理を終了する。
【００８０】
以上のように、本実施例の画像管理システム１０００は、画像管理処理における属性情報設定処理（図１０）において、作成する画像データに対応する種々の属性情報をユーザから取得し、作成した画像データと対応づけて、管理サーバＳＶの所定のデータベースに保存するようにしている。このようにすれば、属性情報に基づいて、ユーザの所望する画像データの検索を容易に行うことができる。
【００８１】
また、本実施例の画像管理システム１０００は、画像管理処理における属性情報設定処理（図１０）において、ユーザが属性情報を入力（選択）する際に、ユーザの所望する属性情報と対応づけられた画像データの登録済みデータをタッチパネル２００に表示することができる（ステップＳ３６０：登録済みデータ確認画面Ｗ４）。さらに、画像管理システム１０００は、ユーザが属性情報を入力（選択）する際に、ユーザが所望する属性情報と対応づけられた画像データのサムネイルをタッチパネル２００に表示することができる（ステップＳ３８０：登録済みデータ詳細確認画面Ｗ５）。以上のようにすれば、ユーザは、所望する属性情報と対応づけられた画像データの登録済みデータやユーザが所望する属性情報と対応づけられた画像データのサムネイルを参考にして、作成する画像データに対応づける属性情報を決定することができる。従って、ユーザが画像データの属性情報を入力する場合に、好適な属性情報を入力することが可能となる。
【００８２】
さらに、本実施例の画像管理システム１０００は、画像管理処理における属性情報設定処理（図１０）において、ユーザが属性情報を入力（選択）する際に、ユーザの所望する属性情報と対応づけられた画像データの他の属性情報をタッチパネル２００に表示することができる（ステップＳ３６０：登録済みデータ確認画面Ｗ４）。このようにすれば、ユーザは、所望する属性情報と対応づけられた画像データの他の属性情報を参考にして、作成する画像データに対応づける属性情報を決定することができる。従って、ユーザが画像データの属性情報を入力する場合に、好適な属性情報を入力することが可能となる。
【００８３】
Ｂ．変形例：
なお、本発明では、上記した実施の形態に限られるものではなく、その要旨を逸脱しない範囲において種々の態様にて実施することが可能である。
【００８４】
Ｂ１．変形例１：
図１７は、本変形例におけるタッチパネル２００に表示された属性情報選択画面Ｗ３を示す説明図である。図１８は、本変形例におけるタッチパネル２００に表示された登録済みデータ確認画面Ｗ４を示す説明図である。図１９は、本変形例におけるタッチパネル２００に表示された登録済みデータ詳細確認画面Ｗ５を示す説明図である。
【００８５】
上記実施例では、画像管理処理（図８：ステップＳ２００）において、作成する画像データの格納先を、管理サーバＳＶの会議録データベース５６０として説明してきたが、本発明は、これに限られるものではない。画像管理システム１０００は、ユーザにより、格納先選択画面Ｗ１において、格納先選択ボタンＢＴＷ１が押された場合には、作成する画像データの格納先を、管理サーバＳＶの新聞切り抜きデータベース５７０とする。この場合、属性情報設定処理（図１０）において、ステップＳ３３０の処理、ステップＳ３６０の処理、および、ステップＳ３８０の処理でタッチパネル２００にそれぞれ表示される、属性情報選択画面Ｗ３、登録済みデータ確認画面Ｗ４、および、登録済みデータ詳細確認画面Ｗ５は、例えば、図１７、図１８、および、図１９のように表示される。
【００８６】
Ｂ２．変形例２：
上記実施例では、スキャナ１００は、属性情報設定処理（図１０）のステップＳ３８０の処理において、登録済みデータ詳細確認画面Ｗ５（図１４）で、ユーザに指定された画像データのサムネイルを表示するようにしているが、本発明は、これに限られるものではない。スキャナ１００は、登録済みデータ詳細確認画面Ｗ５（図１４）で、ユーザに指定された画像データの表わす画像のうち、それらを代表する代表画像を表示するようにしてもよい。例えば、代表画像としては、画像データの表わす画像のうち、最初に作成された画像データの表わす画像、すなわち、トップ画像がある。この場合、スキャナ管理装置３００は、画像データ作成処理（図１５）のステップＳ５５０の処理において、サムネイルに代えて、画像データから、トップ画像のみを抽出し、それを、ステップＳ５６０の処理で、ファイル名と対応づけて保存するようにする。そして、スキャナ管理装置３００は、属性情報設定処理のステップＳ３８０の処理で、スキャナ１００により指定されるファイル名に対応するトップ画像をスキャナ１００に送信する。このようにすれば、ユーザが所望する属性情報と対応づけられた画像データのトップ画像を参考にして、作成する画像データに対応づける属性情報を決定することができる。従って、ユーザが画像データの属性情報を入力する場合に、好適な属性情報を入力することが可能となる。
【００８７】
また、スキャナ１００は、登録済みデータ詳細確認画面Ｗ５（図１４）で、ユーザに指定された画像データの表わす全ての画像を表示するようにしてもよい。この場合、スキャナ管理装置３００は、画像データ作成処理（図１５）のステップＳ５５０の処理において、サムネイルに代えて、画像データから、全ての画像を抽出し、抽出した画像（以下、全画像とも呼ぶ。）を、ステップＳ５６０の処理で、ファイル名と対応づけて保存するようにする。そして、スキャナ管理装置３００は、属性情報設定処理のステップＳ３８０の処理で、スキャナ１００により指定されるファイル名に対応する全画像をスキャナ１００に送信する。このようにすれば、ユーザが所望する属性情報と対応づけられた画像データの全画像を参考にして、作成する画像データに対応づける属性情報を決定することができる。従って、ユーザが画像データの属性情報を入力する場合に、好適な属性情報を入力することが可能となる。
【００８８】
Ｂ３．変形例３：
上記実施例において、スキャナ管理装置３００は、画像データ作成処理（図１５）において、画像データからサムネイルを作成し、ステップＳ５６０の処理で、サムネイルテーブルＴＢ２に保存するようにしている。この場合、サムネイルテーブルＴＢ２に保存されるサムネイルの数の制限を設けて、例えば、一番古いサムネイルから消去するようにしてもよい。このようにすれば、スキャナ管理装置３００におけるメモリ３８０のメモリ容量を容易に確保することができる。従って、メモリ３８０のメモリ容量が比較的小さくても、画像データ作成処理を実行することができる。
【００８９】
Ｂ４．変形例４：
上記実施例において、スキャナ管理装置３００は、画像データ作成処理（図１５）において、ステップＳ５６０の処理で、サムネイルテーブルＴＢ２に、ファイル名とサムネイルで対応づけて保存するようにしているが、本発明は、これに限られるものではない。スキャナ管理装置３００は、ファイル名の代わりに、画像データを一意に識別できる識別情報と、サムネイルとをサムネイルテーブルＴＢ２に保存するようにしてもよい。
【００９０】
Ｂ５．変形例５：
上記実施例では、スキャナ管理装置３００において、スキャナ１００で作成された画像データからサムネイルを作成していたが、本発明は、これに限られるものではない。スキャナ１００で作成された画像データからサムネイルを作成する作業を、管理サーバＳＶ側で行うようにしてもよい。また、上記実施例では、スキャナ管理装置３００において、作成したサムネイルをサムネイルテーブルＴＢ２に記憶し、サムネイルテーブルＴＢ２をスキャナ管理装置３００で保存するようにしていたが、本発明は、これに限られるものではない。スキャナ管理装置３００は、作成したサムネイルを保存したサムネイルテーブルＴＢ２を管理サーバＳＶに送り、サムネイルテーブルＴＢ２を管理サーバＳＶで保存するようにしてもよい。この場合、スキャナ１００は、属性情報設定処理（図１０）のステップＳ３８０の処理において、サムネイルの送信要求を管理サーバＳＶに送信するようにする。以上のようにしても、本実施例の効果を奏することができる。
【００９１】
Ｂ６．変形例６：
上記実施例において、スキャナ１００、スキャナ管理装置３００および管理サーバＳＶの各部は、ソフトウェア的に構成されているものを、ハードウェア的に構成するようにしてもよいし、ハードウェア的に構成されているものを、ソフトウェア的に構成するようにしてもよい。
【図面の簡単な説明】
【００９２】
【図１】本発明の一実施例としての画像管理システム１０００の概略構成を示す説明図である。
【図２】実施例におけるスキャナ１００の構成を示す概略構成図である。
【図３】実施例における画像情報テーブルＴＢ１を説明する説明図である。
【図４】実施例におけるスキャナ管理装置３００の構成を示す概略構成図である。
【図５】図４におけるサムネイルテーブルＴＢ２を説明する説明図である。
【図６】実施例における管理サーバＳＶの構成を示す概略構成図である。
【図７】実施例のメモリ５５０における各データベースの概略構造を表わす説明図である。
【図８】実施例の画像管理システム１０００における画像管理処理を表わすフローチャートである。
【図９】実施例のタッチパネル２００に表示された格納先選択画面Ｗ１を示す説明図である。
【図１０】実施例の画像管理システム１０００における属性情報設定処理を表わすフローチャートである。
【図１１】実施例のタッチパネル２００に表示された属性情報設定画面Ｗ２を示す説明図である。
【図１２】実施例のタッチパネル２００に表示された属性情報選択画面Ｗ３を示す説明図である。
【図１３】実施例のタッチパネル２００に表示された登録済みデータ確認画面Ｗ４を示す説明図である。
【図１４】実施例のタッチパネル２００に表示された登録済みデータ詳細確認画面Ｗ５を示す説明図である。
【図１５】実施例の画像管理システム１０００における画像データ作成処理を表わすフローチャートである。
【図１６】実施例のスキャン処理においてタッチパネル２００に表示されるスキャナ設定画面Ｗ６を示す説明図である。
【図１７】変形例におけるタッチパネル２００に表示された属性情報選択画面Ｗ３を示す説明図である。
【図１８】変形例におけるタッチパネル２００に表示された登録済みデータ確認画面Ｗ４を示す説明図である。
【図１９】変形例のタッチパネル２００に表示された登録済みデータ詳細確認画面Ｗ５を示す説明図である。
【符号の説明】
【００９３】
２０...読取ステージ
３０...スキャン開始ボタン
１００...スキャナ
１１０...読取実行部
１３０...ＣＰＵ
１４０...画像データ作成部
１５０...管理制御部
１６０...表示制御部
１７０...属性情報取得部
１８０...通信制御部
１９０...メモリ
１９５...画像情報テーブル格納部
１９７...クロック部
２００...タッチパネル
３００...スキャナ管理装置
３３０...ＣＰＵ
３４０...画像処理部
３４５...ログイン処理部
３５０...サムネイル作成部
３６０...通信制御部
３８０...メモリ
３８５...サムネイルテーブル格納部
３９０...ログイン情報テーブル格納部
５００...ＣＰＵ
５１０...連携ソフト
５２０...画面作成部
５３０...管理制御部
５４０...通信制御部
５５０...メモリ
５６０...会議録データベース
５７０...新聞切り抜きデータベース
１０００...画像管理システム
【図１】
2006277473.tif 000003
【図２】
2006277473.tif 000004
【図３】
2006277473.tif 000005
【図４】
2006277473.tif 000006
【図５】
2006277473.tif 000007
【図６】
2006277473.tif 000008
【図７】
2006277473.tif 000009
【図８】
2006277473.tif 000010
【図９】
2006277473.tif 000011
【図１０】
2006277473.tif 000012
【図１１】
2006277473.tif 000013
【図１２】
2006277473.tif 000014
【図１３】
2006277473.tif 000015
【図１４】
2006277473.tif 000016
【図１５】
2006277473.tif 000017
【図１６】
2006277473.tif 000018
【図１７】
2006277473.tif 000019
【図１８】
2006277473.tif 000020
【図１９】
2006277473.tif 000021